(57)【要約】      （修正有）【課題】低廉で集糞効率が高く、且つ操作が楽で便利な真空式豚舎集糞装置を提供する。【解決手段】豚舎に配置された真空モータ１０を具え、該真空モータが送気管１１で集糞筒に接続され、別に吸入管４０が豚舎内の各豚圏２１に連通し、末端に糞を吸入する伸縮ホース４２が接続され、これら管材の適当な位置に高周波振動器５０が設けられ、並びに高周波振動により内部を急速に流動する物質が管路内壁に付着しないようにして形成されている。【選択図】図１
0003103408.tif 000002
【実用新案登録請求の範囲】
【請求項１】
真空モータ、吸入管、少なくとも一つの制御弁、少なくとも一つの高周波振動器を具え、
該真空モータは送気管で集糞筒に接続され、
該吸入管は一端が集糞筒に接続され、管体は各豚圏に連通し、且つ各豚圏にあって枝管を具え、該枝管の末端に豚糞を吸い取る伸縮ホースが設けられ、
該少なくとも一つの制御弁は、吸入管或いは枝管に設けられ、
該少なくとも一つの高周波振動器は、吸入管或いは枝管の湾曲部分或いは所定の距離ごとに設けられて吸入管或いは枝管内部を急速に流動する物質を管道内壁に付着させないことを特徴とする、真空式豚舎集糞装置。
【請求項２】
請求項１記載の真空式豚舎集糞装置において、送気管が集糞筒の上部或いは上端側面に接続されたことを特徴とする、真空式豚舎集糞装置。
【請求項３】
請求項１記載の真空式豚舎集糞装置において、集糞筒の底部に排出斜板が設けられ、該排出斜板の末端に可動ゲートが設けられたことを特徴とする、真空式豚舎集糞装置。
【請求項４】
請求項１記載の真空式豚舎集糞装置において、吸入管の管体が豚圏の走道近くに設けられたことを特徴とする、真空式豚舎集糞装置。
【請求項５】
請求項１記載の真空式豚舎集糞装置において、吸入管が集糞筒の上部或いは上端側面に設けられたことを特徴とする、真空式豚舎集糞装置。
【考案の詳細な説明】
【技術分野】
【０００１】
本考案は一種の真空式豚舎集糞装置に係り、特に、真空モータを動力として、複数の吸入管がそれぞれ豚圏に接続され、作業員が豚舎に赴く前に、豚糞吸い込みの伸縮ホースを取り外し、制御弁を開ければ、豚糞の吸い取り除去作業を行なえ、作業員が周知の機器により豚糞を削ぎ取る不便がなく、吸い取った固体豚糞は吸入管を通り集糞筒に送られ、迅速に、楽に、豚糞除去、収集が行なえる真空式豚舎集糞装置に関する。
【背景技術】
【０００２】
養豚は高汚染産業と見なされており、アジア各国での家畜の伝染病（例えば口蹄疫）流行後、各国のＷＴＯの共同利益に加入の下、これまでの三段式排水処理プロセスではすでに厳格で十分な放流水標準を満足させられなくなっている。このため既存の処理設備を改良する必要がある。
【０００３】
アイランド型の国家は土地が狭く、生産量の多い養豚業に関しては、品質の向上に注意を払う必要がある。食肉製品中、豚肉は民生飲食上、極めて重要な地位にあるが、養豚の遭遇する問題は他の牧畜業よりも多く、これは養豚が他の牧畜業のように放牧の形式ではないためであり、豚を囲って飼料を与え、販売できるまでに急速に成長させ、養殖時間は短く、且つ一つの囲いに多くの豚を押し込めるため、衛生に注意する必要があるほか、最も重要であるのは豚糞の掃除である。もし豚の排泄物を妥当に処理しなければ、水源を汚染し、豚が病気となり、また環境衛生上も悪い影響を与える。ゆえに各国政府はいずれも厳しく河川地域での養豚を禁じている。
【０００４】
豚の排泄物中、ほとんどのＢＯＤ、ＣＯＤ、ＳＳ、Ｎ、Ｐは固体糞便中に含まれ、一頭の成熟した豚の毎日の排糞量は約１．９ｋｇであり、そのうち、ＢＯＤ１１４ｇ、ＣＯＤ４１８ｇ、ＳＳ５１ｇ、Ｎ１９ｇ、Ｐ１３．３ｇであり、これによりもし先行してこれら固体糞便を除去して汚染物の量を減らせば、後続の排水処理が比較的容易となり放流標準を達成して環境に対する汚染を低減できる。
【０００５】
現在、各国で通用している処理方式は固液分離、沈殿の方法であり、いずれも有効に汚染量を減らすことはできない。近年、汚染量を減らす豚舎自体の改良設計、例えば、豚糞、尿を分離する豚舎構造、或いは掻取り板や掻取り機等の設備により豚糞を除去する構造が提供されている。そのうち、糞尿分離の豚舎構造は、毎日各頭の豚に対して約０．７ｋｇの豚糞量を収集でき、それまでの伝統的な豚舎よりも５０％近く多い収集量を有するが、その欠点は、既存の豚舎構造を改変しなければならず、且つ収集する糞便量が未だ理想的でなく、コストが高く経済的に符合しないことである。
【０００６】
このほか、掻取り板或いは掻取り機で処理する時は、人力で機械を押動して往復しなければならず、豚舎の角部分或いは地面の凹部に対しては掃除が行なえず、その残留する汚染物は多く、優れた糞便除去の方法とはいえない。
【考案の開示】
【考案が解決しようとする課題】
【０００７】
このため、低廉で集糞効率が高く、且つ操作が楽で便利である装置が装置が必要とされている。
【０００８】
本考案の主要な目的は、一種の真空式豚舎集糞装置を提供することにあり、それは、真空モータが豚糞を吸い取る動力とされ、さらに吸入管が各豚圏に接続され、各豚圏の吸入管出口端に更に手持ち用の軟質吸入管が接続され、この吸入管は平時に各豚圏の壁に固定され、使用時に取り外され、並びに制御弁が開かれて真空吸引力を発生して固体糞便を吸い取る。吸い取った固体糞便は吸入管を通り収集タンク内に送られる。粘着性を有する豚糞が管線中に付着して詰まるのを防止するため、一定距離ごと、及び曲がった部分にさらに高周波振動器が設置され、管壁への豚糞の付着を防止する。
【０００９】
以上の方式で豚舎の糞便を処理すると、固体糞便除去試験の例によると、従来の技術に較べ、総汚染量は９０％も減少、用水量は７５％節約できる。このため本考案は確実に現在の養豚産業の発生する汚染の問題を解決できる。
【課題を解決するための手段】
【００１０】
請求項１の考案は、真空モータ、吸入管、少なくとも一つの制御弁、少なくとも一つの高周波振動器を具え、
該真空モータは送気管で集糞筒に接続され、
該吸入管は一端が集糞筒に接続され、管体は各豚圏に連通し、且つ各豚圏にあって枝管を具え、該枝管の末端に豚糞を吸い取る伸縮ホースが設けられ、
該少なくとも一つの制御弁は、吸入管或いは枝管に設けられ、
該少なくとも一つの高周波振動器は、吸入管或いは枝管の湾曲部分或いは所定の距離ごとに設けられて吸入管或いは枝管内部を急速に流動する物質を管道内壁に付着させないことを特徴とする、真空式豚舎集糞装置としている。
請求項２の考案は、請求項１記載の真空式豚舎集糞装置において、送気管が集糞筒の上部或いは上端側面に接続されたことを特徴とする、真空式豚舎集糞装置としている。
請求項３の考案は、請求項１記載の真空式豚舎集糞装置において、集糞筒の底部に排出斜板が設けられ、該排出斜板の末端に可動ゲートが設けられたことを特徴とする、真空式豚舎集糞装置としている。
請求項４の考案は、請求項１記載の真空式豚舎集糞装置において、吸入管の管体が豚圏の走道近くに設けられたことを特徴とする、真空式豚舎集糞装置としている。
請求項５の考案は、請求項１記載の真空式豚舎集糞装置において、吸入管が集糞筒の上部或いは上端側面に設けられたことを特徴とする、真空式豚舎集糞装置としている。
【考案の効果】
【００１１】
本考案は周知の技術に較べ、以下のような優れた点を有している。
１．本考案は使用時に豚糞の固体物を吸い取ることができ、これにより豚舎を洗い流す水量を減らすことができ、実際の試験では１００分の７５以上減らすことができ、水資源と洗浄費用を節約できる。
２．豚糞の固形物をいずれも吸い取ることができ、これによりその環境汚染の程度は１００分の９０減らすことができ、養豚場より放流される水質を改善し、且つ汚染処理のプロセスを簡易化でき、ゆえに環境保護のための費用を減らすことができるが、機能は却って改善される。
３．本考案の使用は十分に簡単で、操作も迅速に行なえ、誰でも使用でき、ゆえに人件費が安い。
４．本考案は配置上、もとの豚舎の構造を改変する必要がなく、管材の取付け上も十分に便利であり、部品コストも低い。
ゆえに本考案は上述の多くの優れた点を有し、実用新案登録の要件を具備するものである。
【考案を実施するための最良の形態】
【００１２】
図１、３に示されるように、本考案は複数の豚圏２１を具えた豚舎２０の一側或いは適当な位置に真空モータ１０が設置され、該真空モータ１０が送気管１１で集糞筒３０、且つ最も好ましくは該集糞筒３０の上部或いは上端側面に接続されている。
【００１３】
図２に示されるように、該集糞筒３０は箱形体とされ、底部に排出斜板３２が設けられ、該排出斜板３２の末端に可動ゲート３１が設けられている。
【００１４】
図１、２、３に示されるように、吸入管４０の一端は集糞筒３０の上部或いは上端側面に接続され、管体は各豚圏２１に連通し、且つ最も好ましくは豚圏２１の走道２１０位置近くに接続される。該吸入管４０は各豚圏２１にあって枝管４１を具え、該枝管４１に制御弁４４（図１）が設けられ、真空吸糞動作が制御される。また、枝管４１の末端に伸縮ホース４２が設けられ、該伸縮ホース４２の末端に糞便を吸い取る吸い込みノズル４３が設けられている。
【００１５】
図１、３に示されるように、複数の高周波振動器５０が吸入管４０或いは枝管４１の管道湾曲部分或いは適当な部分に設置され、高周波振動器５０は吸入管４０或いは枝管４１部分に振動を与え、内部を急速に流動する豚糞２２を管道の内壁に付着させない。
【００１６】
本考案は使用時に、図１、２、３に示されるように、豚糞２２を掃除したい豚圏２１内にあって制御弁４４を開けば、真空モータ１０が駆動され、吸力が送気管１１、集糞筒３０、吸入管４０、枝管４１、伸縮ホース４２を通り吸い込みノズル４３に至り、作業員が伸縮ホース４２を手に持ち、吸い込みノズル４３で豚糞２２を吸い取ることができる。上述の吸い取りの方向は、伸縮ホース４２、枝管４１、吸入管４０を通り、吸入管４０は集糞筒３０の上端に接続され、ゆえに豚糞２２は集糞筒３０に至り落下し収集される。集糞筒３０を掃除したい時は、図２に示されるように、可動ゲート３１を開けて、豚糞２２を取り出して別の部分に運び埋める。
【００１７】
本考案を試験したところ、上述の真空モータ１０の動力は一般に５馬力で８００から１２００頭の豚の糞便を処理でき、７．５馬力のポンプであれば、その真空吸力は５０ｍの範囲内で作用する。
【図面の簡単な説明】
【００１８】
【図１】本考案の全体構造表示図である。
【図２】本考案の集糞筒操作例図である。
【図３】本考案の全体構造平面図である。
【符号の説明】
【００１９】
１０  真空モータ              １１  送気管
２０  豚舎                    ２１  豚圏
２１０  走道                  ２２  豚糞
３０  集糞筒                  ３１  可動ゲート
３２  排出斜板                ４０  吸入管
４１  枝管                    ４２  伸縮ホース
４３  吸い込みノズル          ４４  制御弁
５０  高周波振動器
【図１】
0003103408.tif 000003
【図２】
0003103408.tif 000004
【図３】
0003103408.tif 000005